(57)【要約】【目的】ファスナテープ同士が上下に接合されるスライドファスナを提供する。【構成】噛合部分となるファスナエレメント（１０，１０Ａ）を有する、一対のファスナテープ（１２，１２Ａ）と、このファスナテープを開閉するスライダー（２０，２０Ａ）とからなる。前記ファスナエレメント（１０，１０Ａ）がテープ（１２，１２Ａ）から隆起しており、その隆起部分同士が接合されることにより一対のファスナテープが上下に接合される。ファスナエレメントはコイルでも務歯列でもよい。【選択図】　図５
2004097426.tif 000002
【特許請求の範囲】
【請求項１】
噛合部分となるファスナエレメント（１０，１０Ａ）を有する、一対のファスナテープ（１２，１２Ａ）と、このファスナテープを開閉するスライダー（２０，２０Ａ）とからなり、
前記ファスナエレメント（１０，１０Ａ）がテープ（１２，１２Ａ）から隆起しており、その隆起部分同士が接合されることにより一対のファスナテープが上下に接合可能であることを特徴とするスライドファスナ。
【請求項２】
ファスナエレメント（１０）がファスナテープ（１２）の端部以外の箇所に長手方向に設置されている請求項１に記載のスライドファスナ。
【請求項３】
ファスナエレメントがコイルである請求項１又は２記載のスライドファスナ。
【請求項４】
ファスナエレメントが務歯列である請求項１又は２記載のスライドファスナ。
【請求項５】
前記スライダー（２０，２０Ａ）が、案内柱（２２）の上下に設けた天板（２４）と底板（２６）を有し、
天板（２４）の一方の端部は下方に向かって伸びていて一側部（２４ａ）を形成し、他方の端部は開放スペース（２４ｂ）に続いており、
底板（２６）の一方の端部は上方に向かって伸びていて一側部（２６ａ）を形成し、他方の端部は開放スペース（２６ｂ）に続いており、
案内柱（２２）と左右側部（２４ａ，２６ａ）の間でファスナエレメントの左右収容部（２８，３０）が形成されている
請求項１ないし４のいずれかに記載のスライドファスナ。
【請求項６】
引き手（３２，３４）が本体の側部に設けられている請求項５記載のスライドファスナ。
【請求項７】
引き手（３２，３４）に紐（３８，３８Ａ）が取り付けられている請求項６記載のスライドファスナ。
【発明の詳細な説明】
【０００１】
【発明の属する技術分野】
本発明はスライドファスナに関する。特に、ファスナテープ同士が上下に接合されるスライドファスナに関する。
【０００２】
【従来の技術】
スライドファスナの噛合部分は務歯列を使うものとコイルを使用するものがある。前者が多用されて来たのは周知の通りであるが、最近は後者の使用も増えて来つつある。後者の例として、例えば特公昭４７−２９１３５号、アメリカ特許第５５９６７９３号、特開２０００−１９７５０８が知られている。
【０００３】
【発明が解決しようとする課題】
務歯列を使うものにせよコイルを使用するものにせよ、従来のスライドファスナでは、一対のファスナテープ同士は同一平面で接合されている。このやり方では、生地の端部以外の箇所にはファスナテープを取り付けることが困難である。無理に取り付ければ、図８に示すように、テープＴが生地Ｆと垂直方向に立ち上がり、分厚くなって不自然である。
【０００４】
生地の端部以外の箇所に無理なくファスナテープが取り付けられたら、思いがけない箇所に開閉部を設けることができるので、さまざまな応用が可能である。例えば、常識を越えた奇抜なデザインの衣服が得られるかも知れない。
【０００５】
生地の端部以外の箇所にファスナテープを取り付け、それが不自然にならないようにするためには、ファスナテープ同士が上下に接合される必要がある。本発明は、そのようなスライドファスナ及びそれに適合したファスナテープとスライダーを提供しようとするものである。
【０００６】
【課題を解決するための手段】
本発明は、噛合部分となるファスナエレメントを有する、一対のファスナテープと、このファスナテープを開閉するスライダーとからなるスライドファスナであって、ファスナテープの噛合部分となるファスナエレメントがテープから隆起しており、その隆起部分同士が接合されることにより一対のファスナテープが上下に接合されることを特徴とする。
【０００７】
【発明の実施の態様】
本発明において使用するスライドファスナ用テープは、ファスナエレメントがファスナテープの端部でもよいが、端部以外の箇所に設けることもできる。端部以外の箇所に設けたときには噛合部分が外からは見えなくなるという利点がある。
【０００８】
ファスナエレメントはコイルでもよいし、務歯列でもよい。一般に、コイルの方が務歯列よりもテープから隆起させやすいので好ましい。
【０００９】
コイルや務歯列をテープに固定する方法は、それ自体公知のものを使用することができる。例えば、コイルをテープに固定するには、前記従来技術に開示されているように、次の工程を有するものとすることができる。
（１）熱可塑性樹脂から形成したコイル内に芯紐を挿通する。
（２）このコイルをテープの側縁上に合成繊維糸によって縫着する。
（３）その後、合成繊維の縫糸を熱溶融する。
【００１０】
本発明において使用するスライダは、案内柱の上下に設けた天板と底板を有し、天板の一方の端部は下方に向かって伸びていて一側部を形成し、他方の端部は開放スペースに続いており、底板の一方の端部は上方に向かって伸びていて一側部を形成し、他方の端部は開放スペースに続いており、案内柱と左右側部の間でファスナエレメントの左右収容部が形成されているものとすることができる。
【００１１】
スライダの引き手は本体の側部に突起の形で設けるのが好ましい。もしこの突起だけでは指で挟みにくいときには、この孔と本体先端の取付穴の間をつなぐ紐を設けることもできる。このときは、紐を指でつかんでスライダーを上下させる。
【００１２】
【実施例】
以下、添付の図面に基づき、本発明の実施例を説明する。
【００１３】
＜第１実施例＞
図１は本発明第１実施例のスライドファスナの一部であり、噛合部分とスライダーを示す正面図である。図２は、図１のＩＩ−ＩＩ断面図である。（ａ）は非噛合時のもの、（ｂ）は噛合時のものである。図３は、左右ファスナエレメント同士の噛合状態を示す平面図である。
【００１４】
これらの図から分かるように、本実施例におけるスライドファスナの噛合部分はコイルのファスナエレメント１０である。このコイル１０は、図１に示すように、テープ１２の長手方向端部ではなく、長手方向のほぼ中央部に位置している。
【００１５】
コイル１０をテープ１２に固定する方法は、それ自体公知のものを使用することができる。例えば、前記従来技術に開示されているように、次の工程を有するものとすることができる。
（１）熱可塑性樹脂から形成したコイル１０内に芯紐１４を挿通する。
（２）このコイル１０をテープ１２の側縁上に合成繊維糸１６によって縫着する。
（３）その後、合成繊維の縫糸１６を熱溶融する。
【００１６】
コイルがテープの端部にあるときは、通常のスライダーを使用し、通常のやり方で噛合部分を開閉すればよい。しかし、本実施例ではコイルがテープの中央に位置するので、通常のスライダーでは噛合部分が開閉できない。
【００１７】
そこで、本実施例では、図４に示すような新規なスライダー２０を使用する。すなわち、本体の案内柱２２の上下に天板２４と底板２６が設けられている。案内柱２２の上下には延長レール２２ａ，２２ｂが設けられている。天板２４の左端部は下方に向かって伸びていて左側部２４ａを形成し、右端部は開放スペース２４ｂに続いている。底板２６の端部は上方に向かって伸びていて右側部２６ａを形成し、左端部は開放スペース２６ｂに続いている。案内柱２２と左右側部２４ａ，２６ａの間にはファスナエレメントの左右収容部２８，３０が形成されている。左右収容部２８，３０は下方に向かって裾広がりとなっている。
【００１８】
通常のファスナであれば、天板２４の上に配置される引き手は、本実施例では本体の左右側板２４ａ，２６ａに隣接する形で配置される。この引き手３２，３４は中央に孔３２ａ，３４ａの開いた板状突起である。もしこの突起だけでは指で挟みにくいときには、この孔３２ａ，３４ａと本体先端３６の取付穴３６ａの間をつなぐ紐３８（図１参照）を設けることもできる。このときは、紐３８を指でつかんでスライダー２０を上下させる。この実施例では引き手３２，３４を左右に２箇所設けている。本来どちらか一方で十分であるが、両方設けておけば、右利きの人でも左利きの人でも使用できて便利である。
【００１９】
コイル１０とスライダー２０の噛合状態は図５にもっともよく示されている。左右のコイル１０同士は図５（ａ）に示すように、スライダー天板２４が上側テープの下に潜り込み、スライダー底板２６が下側テープ１０を押し下げる形で左右ファスナエレメント１０同士が左右収容部２８，３０を通過する。その状態を一部破断して側面図で示したのが（ｂ）である。
【００２０】
このようにして、本発明のスライドファスナは、図２（ｂ）に示すように、上下に接合する。
【００２１】
＜第２実施例＞
図６は本発明第２実施例のスライドファスナの一部であり、噛合部分とスライダーを示す正面図である。図７は、図６のＶＩＩ−ＶＩＩ断面図である。（ａ）は非噛合時のもの、（ｂ）は噛合時のものである。
【００２２】
第２実施例が第１実施例と相違する点は、コイルのファスナエレメント１０Ａが、従来の製品と同様にテープ１２Ａの端部に取り付けられていることである。しかし、図７に最も明瞭に示されているように、第２実施例は、従来の製品と異なり、テープ同士は端部において平面的に接合しているのではなく、上下に接合している。
【００２３】
その他の点については、第２実施例の構成（スライダー２０Ａも含む）は第１実施例と同様であるので、第１実施例の符号に「Ａ」を付して詳細な説明を省略する。
【００２４】
上記第１，第２実施例ではファスナエレメントとしてコイルを使用した実施例を紹介したが、務歯列を使用することもできる。
【００２５】
【発明の効果】
本発明によれば、ファスナエレメント１０，１０Ａ同士は上下に接合される。したがって、生地の端部以外の箇所に自由に取り付けることもできる。その結果、スライドファスナの取付箇所の制約が少なくなり、適用範囲を大きく広げることができる。
【００２６】
さらに、第１実施例によれば、ファスナエレメント１０同士は外部からは見えないという特別の効果を有する。したがって、テープの生地を適宜選択することにより、ファスナに防水機能を持たせることが可能である。
【００２７】
また、第２実施例によれば、ファスナエレメント１０Ａは外部から見えるが、テープが上下に重ならないため、第１実施例と比べてスライダーの上下運動がやりやすいという特別の効果がある。
【図面の簡単な説明】
【図１】本発明第１実施例のスライドファスナの一部であり、噛合部分とスライダーを示す正面図である。
【図２】図１のＩＩ−ＩＩ断面図である。（ａ）は非噛合時のもの、（ｂ）は噛合時のものである。
【図３】左右ファスナエレメント同士の噛合を示す平面図である。
【図４】本発明のスライダの（ａ）正面図、（ｂ）平面図、（ｃ）側面図である。
【図５】ファスナエレメント１０とスライダー２０のはまり合い状態を示すもので、（ａ）断面図、（ｂ）一部テープをめくった平面図である。
【図６】本発明第２実施例のスライドファスナの一部であり、噛合部分とスライダーを示す正面図である。
【図７】図６のＶＩＩ−ＶＩＩ断面図である。（ａ）は非噛合時のもの、（ｂ）は噛合時のものである。
【図８】従来のスライドファスナを生地端部以外の箇所に使用したときの断面図である。
【符号の説明】
１０，１０Ａ　　　　　　ファスナエレメント（この実施例ではコイル）
１２，１２Ａ　　　　　　テープ
１４　　　　　芯紐
１６　　　　　縫糸
２０，２０Ａ　　　　　　スライダー
２２　　　　　案内柱
２４　　　　　スライダー天板
２４ｂ　　　開放スペース
２４ａ　　　左側部
２６　　　　　スライダー底板
２６ａ　　　右側部
２６ｂ　　　開放スペース
３８　　　　　紐
２８，３０　　　　　　　　左右収容部
【図１】
2004097426.tif 000003
【図２】
2004097426.tif 000004
【図３】
2004097426.tif 000005
【図４】
2004097426.tif 000006
【図５】
2004097426.tif 000007
【図６】
2004097426.tif 000008
【図７】
2004097426.tif 000009
【図８】
2004097426.tif 000010